(57)【特許請求の範囲】
【請求項１】
カーテンランナーに係止するフックを有する主杆と、カーテンの止着部に挿入して取り付ける挿入杆とを略Ｕ字状湾曲部を介して連設してなり、主杆と挿入杆の自由端近傍において互いに係合可能とした合成樹脂製カーテンフックにおいて、主杆と挿入杆の自由端近傍において、両者の近接時、少なくとも一部において互いに面接触する板状の係合片をその板面が鉛直方向となるように各々に設け、一方の係合片の側面には突起を、他方の係合片には前記突起の係合溝を設けたことを特徴とするカーテンフック。
【請求項２】
主杆と挿入杆のいずれかにおいて、上記突起あるいは係合溝を有する係合片と別個に第三の係合片を設け、相手方の係合片を２枚の係合片間で挟持可能とした請求項１記載のカーテンフック。
【請求項３】
係合片が、主杆と挿入杆の自由端近傍において、各々相手方に向かって突出状に形成されている請求項１または２記載のカーテンフック。
【請求項４】
突起を形成した係合片を有する主杆あるいは挿入杆に設けた第三の係合片の側面にも突起が形成され、相手方係合片に形成する係合溝は、係合片の厚み方向において面上の溝または貫通孔として形成されている請求項２記載のカーテンフック。
【請求項５】
主杆には突出状の係合片が設けられ、挿入杆には前記係合片が嵌入可能な凹部を設け、凹部側壁を係合片とした請求項１記載のカーテンフック。
【請求項６】
主杆には突出状の係合片が設けられ、挿入杆には前記係合片が嵌入可能な凹部を設け、凹部両側壁の一方を突起あるいは係合溝を有する係合片、他方を第三の係合片とした請求項２記載のカーテンフック。
【請求項７】
凹部側壁に形成される突起が側壁の厚み方向に突出すると共に、挿入杆の軸方向にも延びて挿入杆の杆部に連続する請求項５または６記載のカーテンフック。
【請求項８】
挿入杆の自由端近傍部において、近傍の杆部よりも厚みと幅を大きくして強度を持たせた拡大部を設け、この拡大部を貫通する状態で凹部を形成し、その凹部の側壁を係合片とする請求項５、６または７記載のカーテンフック。
【請求項９】
挿入杆の自由端近傍部を反主杆側に湾曲させて凹部を形成し、この凹部に嵌入した係合片の表裏面に対し、一方は係合片の上半分、他方は下半分に接する側壁を設けてなる請求項５、６または７記載のカーテンフック。
【請求項１０】
カーテンランナーに係止するフックを有する主杆と、カーテンの止着部に挿入して取り付ける挿入杆とを略Ｕ字状湾曲部を介して連設してなり、主杆と挿入杆の自由端近傍において互いに係合可能とした合成樹脂製カーテンフックにおいて、主杆の自由端部近傍において挿入杆側に向かって突出する係合片を設け、挿入杆の自由端部近傍には、前記係合片が嵌入可能で、嵌入した係合片の表裏面に対し、一方は係合片の上半分、他方は下半分に接する側壁を有する凹部を設け、この凹部側壁の一方に突起を形成するとともに、この突起が係合可能な係合溝を前記主杆から突出する係合片に形成してなるカーテンフック。
【請求項１１】
挿入杆の自由端が反主杆側に反り返っている請求項１０記載のカーテンフック。
【発明の詳細な説明】
【０００１】
【発明の属する技術分野】
本発明は、カーテンランナーに係止するフックを有する主杆と、ひだ部など、カーテンの止着部に挿入して取り付ける挿入杆とを略Ｕ字状湾曲部を介して連設した合成樹脂製カーテンフックに関するもので、特にカーテンに取り付けた状態において、振れ止め・抜け止め機能を有するカーテンフックの改良に関するものである。
【０００２】
【従来の技術】
同様な機能をねらったものとして特許第２５８８１６０号が提供されている。このカーテンフックは、カーテンに挿入して取り付けるための挿入杆と、カーテンランナーに係止するフックを有する主杆とを略Ｕ字状に連設し、主杆の後部にカーテンを貫通できるように挿入杆に向かって突出する貫通ピンを設け、挿入杆には貫通ピンの先端側を受け入れる凹所を設け、この凹所と貫通ピンに互いに係合する係合部を設けた構成に係るものである。
【０００３】
カーテンに装着する際には、挿入杆をカーテンのひだ部へ挿入し、貫通ピンをカーテンに突き刺して凹所に嵌入させ、係合部を弾発的に係合させることによってカーテンに係止しようとするものである。
【０００４】
【発明が解決しようとする課題】
上記カーテンフックにおいては、貫通ピンと凹所の係合・離脱を容易にするため、貫通ピンの先端近くの上部に設けられる係合突起は先端から基部に向かって上昇する傾斜面とされ、また、凹所に設けられる係合部は主杆に向かって徐々に開口を縮小する斜面を備えるものとされている。すなわち、係合時においては貫通ピンの傾斜面を利用して係合させ、離脱時には係合部の斜面を利用して離脱しやすくしたものである。
【０００５】
しかしながら、係合状態において、貫通ピンの係合突起は係合部の斜面に係合した状態であるため、カーテンの開け閉め時に当該部分に外力が加わると、貫通ピンが凹所から離脱するおそれが予測される。
【０００６】
また、凹所は挿入杆に直接貫通状態で形成されているものであるから、この凹所に嵌入する貫通ピンも必然的に細くならざるを得ないため、貫通ピンの強度も弱くなり折損の懸念がある。さらにまた、貫通ピンと凹所の係合であるため、貫通ピンを中心にしてフックが回転しやすく、振れ止め機能が十分達成されないことが予測される。
【０００７】
そこで、本発明の目的とするところは、主杆と挿入杆の自由端近傍において互いに係合可能とした振れ止め・抜け止め機能を有するカーテンフックであって、係合状態が確実で、カーテンの開閉によって係合状態が外れるおそれがなく、また、係合部においてフックが回転する懸念がなく、振れ止め機能に優れるとともに、係合部が容易に破損しないカーテンフックを提供するところにある。
【０００８】
【課題を解決するための手段】
本発明は、カーテンランナーに係止するフックを有する主杆と、カーテンの止着部に挿入して取り付ける挿入杆とを略Ｕ字状湾曲部を介して連設してなり、主杆と挿入杆の自由端近傍において互いに係合可能とした合成樹脂製カーテンフックを対象とし、前記目的達成のため、主杆と挿入杆の自由端近傍において、両者の近接時、少なくとも一部において互いに面接触する板状の係合片をその板面が鉛直方向となるように各々に設け、一方の係合片の側面には突起を、他方の係合片には前記突起の係合溝を設けたことを特徴としている。
【０００９】
このように、主杆と挿入杆の係合部分を、互いに面接触する係合片として構成し、一方の係合片の側面に突起を設け、他方の係合片に係合溝を設けた構成とした場合、係合片の面接触によって係合部分が安定し、突起と係合溝との係合状態も安定するため、カーテンの開閉によっても容易に係合状態が外れるおそれがない。また、係合片をカーテンのひだ形成部の合わせ目に通して取り付けた場合、ピン状物と異なり、回転方向に対する抵抗片としても作用するので、フックが回転しにくく、振れ止め効果が高い。さらに、板状をなすためピン状物よりも機械的強度が強く、容易に破損しない。
【００１０】
互いに面接触する係合片としては、一対一の対応関係で設ける場合の他、他方を２枚として相手方係合片を２枚の係合片間で挟持可能とする構成も採用することができる。すなわち、主杆と挿入杆のいずれかにおいて、突起あるいは係合溝を有する係合片と別個に第三の係合片を設け、相手方の係合片を２枚の係合片間で挟持可能とする構成である。このような構成とした場合、係合状態が一層安定し、振れ止め効果も向上する。
【００１１】
突起を形成した係合片２枚の間で相手方の係合片を挟持可能とする場合、相手方の係合片に形成される係合溝は、係合片の厚み方向において面上の溝または貫通孔として形成すれば良い。
【００１２】
係合片は、主杆および挿入杆から各々相手方に向かって突出状に形成する構成のみならず、主杆側の係合片は突出状に形成し、挿入杆側にはこの係合片が嵌入可能な凹部を設け、その凹部側壁を挿入杆側の係合片とする構成も採用可能である。この場合、凹部両側壁の一方を突起あるいは係合溝を有する係合片、他方を第三の係合片とする構成も採用可能である。
【００１３】
凹部側壁に突起を形成する場合、側壁の厚み方向に突出する突起、側壁の厚み方向に突出すると共に挿入杆の軸方向にも伸びて挿入杆の杆部に連続する突起などが採用できる。後者は、杆部に連続するため機械的強度が強くなり係合離脱を繰り返しても欠損し難い利点を有する。
【００１４】
挿入杆に形成する凹部は、挿入杆の自由端近傍部において、近傍の杆部よりも厚みと幅を大きくして強度を持たせた拡大部を設け、この拡大部を貫通する状態で形成し、その貫通凹部の側壁を挿入杆側の係合片及び第三の係合片とする構成が採用できる。また、挿入杆の自由端近傍部を反主杆側に湾曲させることによって凹部を形成し、この凹部に嵌入した係合片の表裏面に対し、一方は係合片の上半分、他方は下半分に接する側壁を設ける構成も採用できる。
【００１５】
係合状態の安定性、振れ止め効果、製作の容易性、使用勝手、耐久性等の見地から、好ましいカーテンフックは次のように構成される。
【００１６】
すなわち、カーテンランナーに係止するフックを有する主杆と、カーテンの止着部に挿入して取り付ける挿入杆とを略Ｕ字状湾曲部を介して連設してなり、主杆と挿入杆の自由端近傍において互いに係合可能とした合成樹脂製カーテンフックにおいて、主杆の自由端部近傍において、挿入杆側に向かって突出する係合片を設け、挿入杆の自由端部近傍には、前記係合片が嵌入可能で、嵌入した係合片の表裏面に対し、一方は係合片の上半分、他方は下半分に接する側壁を有する凹部を設け、この凹部側壁の一方に突起を形成するとともに、この突起が係合可能な係合溝を前記主杆から突出する係合片に形成してなるカーテンフックである。挿入杆の自由端を反主杆側に反り返えらせておけば、カーテンの止着部に対する挿入杆の挿入が容易となる。
【００１７】
カーテンランナーに係止するフックは、主杆と一体的に設ける場合の外、主杆に対しラチェット式に組み合わせて摺動可能に装着することにより、カーテンの吊り高さを調節できる公知のアジャスター式フックとなし得るのはもちろんである。
【００１８】
【発明の実施の形態】
以下添付図面に従って本発明の実施の形態について説明する。
【００１９】
図１は、本発明の合成樹脂製カーテンフックの一態様を示す正面図で、カーテンランナーに係止するフックを摺動可能に装着する主杆１と、カーテンの止着部に挿入して取り付ける挿入杆２とを略Ｕ字状湾曲部３を介して連設しており、主杆１の自由端近傍には挿入杆２側に突出する係合片４が設けられ、挿入杆２側の自由端近傍には主杆１と挿入杆２とが近接した際、前記係合片４の先端部が面接触可能な係合片５、６が形成されている。主杆１から突出する係合片４には係合溝７が形成され、これに対応して、挿入杆２側の係合片５の側面には突起８が係合片５の肉厚方向に突出して形成されている。なお、挿入杆２側の係合片５、６は、成形の便宜性を考慮して、挿入杆２の軸方向に対してワンピッチずらせて形成されている。
【００２０】
主杆１は、図４及び図５から明らかな通り、前後に鍔状部１ａ、１ｂを有する断面略Ｈ字状をなし、前方鍔部１ａの背面に複数の下向き突起１ｃが連続的に形成されている。フックは前方鍔部１ａを抱え込むように装着され、下向き突起１ｃとラチェット式に係合する係合爪を有しており、下方向にのみスライド可能に装着される。なお、この構成はアジャスター式フックとして公知である。
【００２１】
この様なカーテンフックをカーテンに装着する場合、カーテンのひだ部等における止着部に挿入杆２を挿入し、ひだ形成部の合わせ目を通して主杆１側の係合片４を挿入杆２側の係合片５、６間において両係合片５、６に面接触するように主杆１と挿入杆２とを近接させれば、突起８が係合溝７に嵌入して、主杆１と挿入杆２は係合状態に保たれる。この場合、主杆１側の係合片４は挿入杆２側の係合片５、６間に挟持される状態となるため、係合状態が安定し、カーテンの開閉動作においても容易に係合状態が離脱することはなく、安定した振れ止め・抜け止め効果が得られる。また、係合片、すなわち、板状体をカーテンのひだ形成部の合わせ目に通すので、ピン状あるいは軸状体と異なり、フックが回転しにくく、より一層振れ止め効果が高い。また、ピン状物よりも機械的強度が強く、容易に破損しない。
【００２２】
この例では、主杆１側の係合片４を挿入杆２側の２枚の係合片５、６間で挟持する構成を示したが、突起８を形成した係合片５のみでも、両係合片４、５が面接触すると共に突起８が係合溝７に係合するため、係合状態は安定しており、抜け止め・振れ止め効果を達成し得るのはいうまでもなく、また、板状をなす係合片がフックの回転方向に対する抵抗片としても作用し、振れ止め効果を補強し得る。
【００２３】
図６及び図７は、係合部の他例を示すもので、主杆１の自由端近傍において挿入杆２側に突出して形成された係合片９には係合溝１０が貫通孔として形成されている。一方、挿入杆２側には前記係合片９の先端部が面接触可能な係合片１１、１２が挿入杆２の軸方向に対してワンピッチずらせて形成され、この係合片１１、１２の側面には前記係合溝１０に嵌入可能な突起１３、１３が形成されている。すなわち、この例では、主杆１と挿入杆２の近接時、係合片９と係合片１１、１２とが互いに面接触すると共に、係合片１１、１２の側面に形成した両突起１３が長孔状貫通孔として主杆１側の係合片９に設けた係合溝１０に嵌入係合する構成である。主杆１側の係合片９が挿入杆２側の係合片１１、１２によって挟持され、しかも係合片１１、１２の突起１３、１３が係合溝１０に係合するため係合状態が安定し、カーテンの開閉動作においても容易に係合状態が離脱することはなく、安定した振れ止め・抜け止め効果が得られる。また、係合片９、１１、１２がフックの回転方向に対する抵抗片としても作用し、振れ止め効果を補強し得るのは前記実施態様と同様である。なお、貫通状の係合溝に代えて、係合片９の厚み方向において面上の溝として形成することもできる。すなわち、係合片の両面において係合片１１、１２の突起１３、１３がそれぞれ係合する面上の溝を形成し、これを係合溝としても良い。
【００２４】
上記の例においては、いずれも主杆１側の係合片及び挿入杆２側の係合片とも相手方に向かって突出状に形成した例を示しているが、挿入杆２はカーテンの止着部に挿入されるため、できるだけ突出片がないことが好ましい。図８、図９に示した例は、主杆１側の係合片１４のみを突出させた例を示している。挿入杆２側には係合片１４が嵌入可能な凹部１５を設け、この凹部１５の両側壁を挿入杆２側の係合片１６、１７とし、係合片１６に突起１８を形成し、主杆１の係合片１４に形成した係合溝１９と係合可能としている。凹部１５は近傍の杆部よりも厚みと幅を大きくして強度を持たせた拡大部２０を貫通する状態で形成されており、従来例のように挿入杆に直接貫通穴を形成する場合に比し、耐久性を向上させることができる。この例においても、係合片１４が凹部１５に嵌入して両係合片１６、１７で挟着された状態で突起１８が係合溝１９と係合するので、カーテンの開閉動作においても容易に係合状態が離脱することはなく、安定した振れ止め・抜け止め効果が得られる。また、係合片１４、１６、１７がフックの回転方向に対する抵抗片としても作用し、振れ止め効果を補強し得る。
【００２５】
図１０及び図１１に示した例は、主杆１側の構成としては図８及び図９の構成と同様であるが、挿入杆２側に設けられる凹部及び係合片の構成において次のように異なっている。すなわち、この例では、挿入杆２の自由端近傍部を反主杆側に湾曲させて凹部２１を形成し、この凹部に嵌入した主杆１側の係合片１４の表裏面に対し、一方は係合片１４の上半分、他方は下半分に接する側壁２２、２３を形成して、これらを挿入杆２側の係合片とし、側壁２２に主杆１の係合片１４に形成した係合溝１９と係合可能な突起２４を側壁から突出状に設けたものである。なお、挿入杆２の凹部２１に形成される側壁２２、２３は、成形の便宜性を考慮して、挿入杆２の軸方向に対してワンピッチずらせて形成されている。この例では、カーテンランナーに係止するフック２５の一例を合わせて示しており、前方鍔部１ａを抱え込むように装着され、下向き突起１ｃとラチェット式に係合する係合爪２６よって下方向にのみスライド可能に装着されている。また、挿入杆２の下方部において主杆側内面には主杆１との間でカーテンを挟着する薄片２７が形成されている。この様なカーテンフックをカーテンに装着する場合、カーテンのひだ部２８に挿入杆２を挿入し、主杆１側の係合片１４を合わせ目における針飛ばし部分の開口２９を通して挿入杆２側の凹部２１に嵌入すれば、両側片２２、２３で挟着された状態で突起２４と係合溝１９が係合し、確実・強固な係合状態が得られ、カーテンの開閉動作においても容易に離脱することなく、確実な振れ止め・抜け止め機能を達成する。また、係合片１４、側壁２２、２３がフックの回転方向に対する抵抗片としても作用し、振れ止め効果を補強している。さらにまた、この例では、挿入杆２の下方部において主杆１との間でカーテンを挟着する薄片２７を設けており、カーテン生地を十分挟持することができ、かつ、薄片２７がカーテン生地のひだ形成部の合わせ目に食い込むので、カーテンフックが一層左右方向へずれにくくなっている。なお、この薄片は本例のみならず、すでに述べた実施態様についても適用可能であるのはいうまでもない。
【００２６】
図１２に示した例は、図１０及び図１１に示した例とほぼ同様であり、同様な構成部分については同一符号で示している。本例の特徴点は、凹部２１の側壁２２に形成される突起３０が側壁１１の厚み方向に突出すると共に、挿入杆２の軸方向にも延びて挿入杆２の杆部に連続させた点である。この様な構成とすれば、突起３０が杆部に連続するため機械的強度が強くなり係合離脱を繰り返しても欠損し難い利点を有する。
【００２７】
なお、上記いずれの実施態様においても、挿入杆２の自由端２ａを反主杆側に反り返えらせておけば、カーテンの止着部に対する挿入杆の挿入が容易となる。
【００２８】
【発明の効果】
本発明のカーテンフックは、以上の通り、主杆と挿入杆の係合部分を、互いに面接触する係合片として構成し、一方の係合片の側面に突起を設け、他方の係合片に係合溝を設けた構成としたので、突起と係合溝との係合状態も安定するため、カーテンの開閉によっても容易に係合状態が外れるおそれがなく、安定した振れ止め・抜け止め機能を有するものである。また、係合片がフックの回転方向に対する抵抗片としても作用するので、フックが回転しにくく、振れ止め効果が高いものである。さらに、係合片が板状をなすためピン状物よりも機械的強度が強く、容易に破損することなく耐久性にもすぐれたものである。
【図面の簡単な説明】
【図１】本発明の合成樹脂製カーテンフックの一態様を示す正面図、
【図２】同左側面図、
【図３】同右側面図、
【図４】同平面図、
【図５】同底面図
【図６】本発明の合成樹脂製カーテンフックの他例を示す正面図、
【図７】同平面図、
【図８】本発明の合成樹脂製カーテンフックのさらに他例を示す要部正面図、
【図９】同左側面図、
【図１０】本発明の合成樹脂製カーテンフックのまたさらに他の例を示す正面図で、カーテンのひだ部と共に示す、
【図１１】同例において、挿入杆の要部を主杆側から見た側面図、
【図１２】本発明の合成樹脂製カーテンフックのさらにまた他の例を示す正面図。
【符号の説明】
１…主杆    １ａ、１ｂ…鍔部    １ｃ…係止爪    ２…挿入杆
２ａ…自由端    ３…略Ｕ字状湾曲部    ４…係合片    ５、６…係合片
７…係合溝    ８…突起    ９…係合片    １０…係合溝
１１、１２…係合片    １３…突起    １４…係合片    １５…凹部
１６、１７…係合片    １８…突起    １９…係合溝    ２０…拡大部
２１…凹部    ２２、２３…側壁    ２４…突起    ２５…フック
２６…係合爪    ２７…薄片    ２８…ひだ部    ２９…開口
３０…突起
【図１】
0003796014.tif 000002
【図２】
0003796014.tif 000003
【図３】
0003796014.tif 000004
【図４】
0003796014.tif 000005
【図５】
0003796014.tif 000006
【図６】
0003796014.tif 000007
【図７】
0003796014.tif 000008
【図８】
0003796014.tif 000009
【図９】
0003796014.tif 000010
【図１０】
0003796014.tif 000011
【図１１】
0003796014.tif 000012
【図１２】
0003796014.tif 000013